(57)【要約】【課題】  携帯端末の電話帳メモリ内のいずれか１件の相手先電話番号に対して、一般加入電話回線を介して電話発信を行う。【解決手段】  送話及び受話を行うためのハンドセット１００と、携帯端末３０と通信を行う赤外線通信インタフェース（Ｉ／Ｆ）１０６と、赤外線通信インタフェース（Ｉ／Ｆ）１０６により受信した携帯端末３０からの電話帳データを表示するディスプレイ１０２と、電話発信を行うための発信キー１１０と、ディスプレイ１０２に電話帳データが表示されている間に発信キー１１０が操作された際、あるいはハンドセット１００を取り上げた際に電話発信を行う制御回路１０８とを有する。【選択図】      図１
2005110033.tif 000002
【特許請求の範囲】
【請求項１】
一般加入者回線に接続された電話装置の電話発信方法であって、
携帯端末の電話帳メモリに登録された電話帳データを受信し、受信した電話帳データのうち所望の電話番号データを１件分のみ表示手段に表示させ、該電話帳データが前記表示手段に表示されている間に電話発信を指示するための操作手段が操作された際、またはハンドセットが取り上げられた際のいずれかのタイミングで電話発信を行うことを特徴とする電話発信方法。
【請求項２】
近距離無線通信機能を有する携帯端末と通信可能な一般加入者回線に接続された電話装置であって、
送話及び受話を行うためのハンドセットと、
前記携帯端末と通信を行う近距離無線通信手段と、
前記近距離無線通信手段により受信した前記携帯端末からの電話帳データを表示する表示手段と、
電話発信を行うための操作手段と、
前記表示手段に前記電話帳データが表示されている間に操作手段が操作された際、あるいはハンドセットを取り上げた際に電話発信を行う制御手段と、
を有することを特徴とする電話装置。
【請求項３】
前記表示手段には電話発信時には１件分の電話番号データのみが表示されることを特徴とする請求項２に記載の電話装置。
【発明の詳細な説明】
【技術分野】
【０００１】
本発明は、携帯電話機等の携帯端末の電話帳メモリに登録されている電話帳データを利用することができる電話装置に関する。
【背景技術】
【０００２】
携帯電話機、ＰＨＳ等の携帯端末から、一般加入電話に対して電話発信を行うと、一般加入電話同士の通信、または、ＩＰ電話回線からの一般加入電話への通信に比較して、通信料金が高額となることが多いため、携帯端末の電話帳メモリに保存されている電話番号に対して、一般加入電話回線に接続された電話装置（単体電話機、または、ＰＢＸ、ビジネスホン等の内線電話機）から発信したいという要請がある。
【０００３】
しかし、従来は、携帯端末の電話帳メモリを検索して、携帯端末のディスプレイに表示させ、これを見ながら電話機のダイヤルボタンを押して発信する必要があり、煩わしく、また、電話番号を押し間違える恐れがあった。
携帯端末に登録されている電話帳メモリを、他の電話機でも利用できるようにするため、携帯端末と電話機との間で、電話帳メモリの相互補完を自動的に行う手段が提案されている（例えば、特許文献１参照。）。この手段を用いれば、携帯端末を電話機に接続し、電話帳メモリの相互補完が完了した後に、携帯端末の電話帳メモリを検索し、携帯端末の発信ボタンを押すことにより、電話機から発信を行うことができた。
【特許文献１】特開２００１−９４６６７号公報
【発明の開示】
【発明が解決しようとする課題】
【０００４】
しかし、上述した従来のこの方法では、携帯端末と電話機との間で電話帳メモリの相互補完を行う必要があるので、携帯端末を持って別の電話機のある場所に一時的に移動して、携帯端末内の電話帳メモリ内のいずれか１件に対して電話発信を行いたいときにも、電話帳メモリの相互補完のために余計な時間がかかることが予想される。
【０００５】
また、一時的に移動した先の電話機なので、プライバシーの漏洩を防ぐため、携帯端末の電話帳メモリから、転送された電話帳データを削除したいとしても、電話帳メモリが相互補完されているので、もともと電話帳メモリに保存されていた電話帳データと、転送された電話帳データとの区別がつかず、削除することが容易ではなかった。
【０００６】
本発明は、このような事情に鑑みてなされたものであり、携帯端末の電話帳メモリ内のいずれか１件の相手先電話番号に対して、一般加入電話回線を介して電話発信を行うことができる電話発信方法及び電話装置を提供することを目的とする。
【課題を解決するための手段】
【０００７】
上記目的を達成するために請求項1に記載の発明は、一般加入者回線に接続された電話装置の電話発信方法であって、携帯端末の電話帳メモリに登録された電話帳データを受信し、受信した電話帳データのうち所望の電話番号データを１件分のみ表示手段に表示させ、該電話帳データが前記表示手段に表示されている間に電話発信を指示するための操作手段が操作された際、またはハンドセットが取り上げられた際のいずれかのタイミングで電話発信を行うことを特徴とする。
【０００８】
また、請求項２に記載の発明は、距離無線通信機能を有する携帯端末と通信可能な一般加入者回線に接続された電話装置であって、送話及び受話を行うためのハンドセットと、前記携帯端末と通信を行う近距離無線通信手段と、前記近距離無線通信手段により受信した前記携帯端末からの電話帳データを表示する表示手段と、電話発信を行うための操作手段と、前記表示手段に前記電話帳データが表示されている間に操作手段が操作された際、あるいはハンドセットを取り上げた際に電話発信を行う制御手段とを有することを特徴とする。
【０００９】
また、請求項３に記載の発明は、請求項２に記載の電話装置において、前記表示手段には電話発信時に１件分の電話番号データのみが表示されることを特徴とする。
【発明の効果】
【００１０】
本発明に係る電話装置及び電話発信方法によれば、携帯端末の電話帳メモリに登録された電話帳データを受信し、受信した電話帳データのうち所望の電話番号データを１件分のみ表示手段に表示させ、該電話帳データが前記表示手段に表示されている間に電話発信を指示するための操作手段が操作された際、またはハンドセットが取り上げられた際のいずれかのタイミングで電話発信を行うようにしたので、携帯端末の電話帳メモリ内のいずれか１件の相手先電話番号に対して、一般加入者回線を介して電話発信を行うことができる。
【００１１】
すなわち、携帯端末を持って一般加入電話回線に接続された電話装置のある場所に一時的に移動して、携帯端末内の電話帳メモリ内のいずれか１件の相手先電話番号に対して電話発信を行いたいときにも、携帯端末と電話装置の電話帳メモリの相互補完のための余計な時間が不要となる。
【００１２】
また、本発明に係る電話装置及び電話発信方法によれば、携帯端末と電話機の電話帳メモリの相互補完を行う必要が無いので、携帯端末を持って別の電話機のある場所に一時的に移動して、携帯端末内の電話帳メモリ内のいずれか１件の相手先電話番号に対して電話発信を行った後でも、電話機の電話帳メモリに携帯端末から転送された電話帳データが残ることが無く、プライバシーの漏洩を防ぐことができる。
【００１３】
さらに、本発明に係る電話装置及び電話発信方法によれば、発信履歴を自動記録する機能を持つ電話装置であっても、電話帳メモリの中から携帯端末から転送された電話帳データだけを選択して削除するよりも、容易に発信履歴を削除できるので、プライバシーの漏洩を防ぐことができる。
【発明を実施するための最良の形態】
【００１４】
以下、本発明の実施形態を、図面を参照して説明する。図１に本発明の実施形態に係る電話装置の構成を示す。本実施形態に係る電話装置は、一般加入者回線に接続された電話装置の電話発信方法であって、携帯端末の電話帳メモリに登録された電話帳データを受信し、受信した電話帳データのうち所望の電話番号データを１件分のみ表示手段に表示させ、該電話帳データが前記表示手段に表示されている間に電話発信を指示するための操作手段が操作された際、またはハンドセットが取り上げられた際のいずれかのタイミングで電話発信を行うことを特徴とする電話発信方法を実施するための電話装置である。
【００１５】
図１において、電話機１０は、受話及び送話を行うためのハンドセット１００と、各種データを表示するディスプレイ１０２と、キー群１０４と、近距離無線通信手段としての赤外線通信インタフェース（Ｉ／Ｆ）１０６と、各部を制御する制御回路１０８と、電話発信を指示するための発信キー１１０とを有している。電話機１０は本発明の電話装置に、ディスプレイ１０２は本発明の表示手段に、発信キー１１０は本発明の操作手段に、それぞれ相当する。
【００１６】
電話機１０は、一般加入電話回線３０に直接、または、オフィス用内線電話交換機（ＰＢＸ、ビジネスホン等）を介して、接続されている。
赤外線通信インタフェース（Ｉ／Ｆ）１０６は、特定の通信プロトコルにより電話帳データを受信すると、制御回路１０８に通知する機能を有している。電話帳データを赤外線通信インタフェース１０６によって送受信するための通信プロトコルは、後述する携帯端末２０の赤外線通信インタフェースの通信プロトコルに合わせる必要がある。赤外線通信インタフェース（Ｉ／Ｆ）１０６は本発明の近距離無線通信手段に相当する。
【００１７】
制御回路１０８は、受信した電話帳データの中に含まれる電話番号を、ディスプレイ１０２に表示する。電話番号がディスプレイ１０２に表示されている間に、ユーザが発信キー１１０を押すか、ハンドセット１００を取り上げると、制御回路１０８は、一般加入電話回線３０を介して、電話発信を実行する機能を有している。
【００１８】
携帯端末２０は、電話帳メモリ２１０を具備する携帯電話機、ＰＨＳ、ＰＤＡなどである。携帯端末２０の制御回路２０８は、キー群２０６の操作によって、電話帳メモリ２１０に保存されている複数の電話帳データの中から、目的の個人の電話帳データを検索し、ディスプレイ２０４に表示するという、電話帳メモリ検索機能を具備する。
【００１９】
また、携帯端末２０は、赤外線通信インタフェース２００を具備する。携帯端末２０の制御回路２０８は、ディスプレイ２０４に表示されている電話帳データを、赤外線通信インタフェース２００を介して、特定の通信プロトコルにより、他の赤外線通信インタフェースに送信する機能を具備する。電話帳データを赤外線通信インタフェースによって送信する通信プロトコルとしては、ＩｒＤＡ(Infrared Data Association)によって策定されたＩｒＭＣがあり、これに準拠した赤外線通信インタフェースを具備した携帯電話機などが市販されている。
【００２０】
次に、携帯端末の電話帳メモリ内のいずれか１件の相手先電話番号に対して、一般加入電話回線を介して電話発信を行う処理を、図２のフローチャートに従い、図１のブロック図を参照しながら説明する。
なお、あらかじめ、携帯端末２０の電話帳メモリ２１０には、ユーザが一般加入電話回線３０を介して電話発信したい相手の電話帳データを含む、複数の電話帳データが保存されているものとする。
【００２１】
まず、ユーザが、携帯端末２０の電話帳メモリ２１０の中から、電話機１０から電話発信したい相手の電話帳データを検索するための操作手順に従って、キー群２０４を操作すると（ステップ３０１）、制御回路２０８が、電話帳メモリ２１０の中から電話帳データの検索を行う（ステップ３０２）。
次いで、電話帳データの検索が完了すると、ディスプレイ２０４に目的の電話帳データを表示する（ステップ３０３）。
【００２２】
一方、ユーザが電話機１０の赤外線通信インタフェース１０６を受信待機状態にするための操作手順に従って、電話機１０のキー群１０４を操作すると（ステップ３０４）、制御回路１０６が赤外線通信インタフェース１０５を受信待機状態にする（ステップ３０５）。
【００２３】
次いで、ユーザが携帯端末２０のディスプレイ２０４に表示されている電話帳データを赤外線通信インタフェース２００から送信するための操作手順に従って、携帯端末２０のキー群２０６を操作すると（ステップ３０６）、制御回路２０８が、赤外線通信インタフェース２００に対して、電話帳データを送信するよう指示し、携帯端末２０の赤外線通信インタフェース２００から電話機１０の赤外線通信インタフェース１０６に向かって、電話帳データが伝送される（（ステップ３０７）。
【００２４】
電話機１０の制御回路１０８は、赤外線通信インタフェース１０６が電話帳データの受信を完了すると（ステップ３０８）、ステップ３１２で、当該電話帳データに含まれる相手先電話番号をディスプレイ１０２に表示する。
なお、当該電話帳データに複数の相手先電話番号が含まれる場合は（ステップ３０９）、ステップ３１０で制御回路１０８は、ディスプレイ１０２に複数行に渡って相手先電話番号を表示する。
【００２５】
ステップ３１１で、ユーザが、キー群１０４を操作していずれか１つの相手先電話番号を選択すると、ステップ３１２で、制御回路１０８は、選択された電話番号だけをディスプレイ１０２に表示する。すなわち、電話帳データは、複数の相手先電話番号を含む集合体データであり、電話発信する直前では、表示手段としてのディスプレイ１０２には、所望の相手先の１件分の電話番号データのみが表示される。ここで電話番号データとは、通話相手先の電話番号であり、氏名等の他のデータを含んでいても良い。
次いで、ユーザが電話機１０１の発信ボタン１０７を押すか、ハンドセット１０２を取り上げると（ステップ３１３）、制御回路１０６が、相手先電話番号に対して、一般加入電話回線１０８を介して、電話発信を実行する（ステップ３１４）。
【００２６】
電話機１０が、発信履歴を自動的に記録する機能と、発信履歴をユーザの操作によって削除する機能を具備している場合は、通話終了後、ステップ３１５でユーザが、最新の発信履歴を削除するための手順に従って、キー群１０４を操作すると、ステップ３１６で制御回路１０６が、最新の発信履歴を削除する。
【００２７】
本実施形態に係る電話装置によれば、携帯端末の電話帳メモリに登録された電話帳データを受信し、受信した電話帳データのうち所望の電話帳データを１件分のみ表示手段に表示させ、該電話帳データが前記表示手段に表示されている間に電話発信を指示するための操作手段が操作された際、またはハンドセットが取り上げられた際のいずれかのタイミングで電話発信を行うようにしたので、端末の電話帳メモリ内のいずれか１件の相手先電話番号に対して、一般加入電話回線を介して電話発信を行うことができる。
【００２８】
すなわち、携帯端末を持って一般加入電話回線に接続された電話装置のある場所に一時的に移動して、携帯端末内の電話帳メモリ内のいずれか１件の相手先に対して電話発信を行いたいときにも、携帯端末と電話装置の電話帳メモリの相互補完のための余計な時間が不要となる
【００２９】
また、本実施形態に係る電話装置によれば、携帯端末と電話機の電話帳メモリの相互補完を行う必要が無いので、携帯端末を持って別の電話機のある場所に一時的に移動して、携帯端末内の電話帳メモリ内のいずれか１件の相手先に対して電話発信を行った後でも、電話機の電話帳メモリに携帯端末から転送された電話帳データが残ることが無く、プライバシーの漏洩を防ぐことができる。
【００３０】
さらに、本実施形態に係る電話装置によれば、発信履歴を自動記録する機能を持つ電話装置であっても、電話帳メモリの中から携帯端末から転送された電話帳データだけを選択して削除するよりも、容易に発信履歴を削除できるので、プライバシーの漏洩を防ぐことができる。
【図面の簡単な説明】
【００３１】
【図１】本発明の実施形態に係る電話装置の構成を示すブロック図。
【図２】図１に示した本発明の実施形態に係る電話装置の動作を示すフローチャート。
【符号の説明】
【００３２】
１０…電話装置
２０…携帯端末
３０…一般加入者回線
１００…ハンドセット
１０２、２０４…ディスプレイ
１０４、２０６…キー群
１０６、２００…赤外線通信インタフェース（Ｉ／Ｆ）
１０８、２０８…制御回路
１１０…発信キー
２１０…電話帳メモリ
【図１】
2005110033.tif 000003
【図２】
2005110033.tif 000004